(57)【特許請求の範囲】
【請求項１】
水を活性化させる活水器であって
内部に水を収納可能な収納容器と、
前記収納容器の内部に収納され、水が流通可能な穴が形成されて、前記収納容器と独立して移動可能である移動容器と、
前記移動容器内に収納され、水流によって移動容器内を移動可能であり、前記穴を通り抜け不能な濾材と、
を有し、
前記移動容器内に、断面視で一方向にのみ延在し複数に区分けされた領域を形成する仕切り板を有し、前記領域毎に前記移動容器に前記穴を配置し、
前記領域毎に、前記仕切り板に沿う方向に対向して前記穴が配置され、
前記水が収納された前記収納容器内において、前記濾材が前記移動容器の底に移動することによって、前記仕切り板が鉛直方向に沿うように前記移動容器の姿勢が調整される活水器。
【請求項２】
前記移動容器は、直交する２方向の各々の長さよりも、前記２方向の両方と直交する方向へ長く形成される形状を有している、請求項１に記載の活水器。
【請求項３】
前記収納容器は、金属製またはガラス製である、請求項１または２に記載の活水器。
【請求項４】
前記収納容器は、２重構造である、請求項１〜３のいずれか１項に記載の活水器。
【発明の詳細な説明】
【技術分野】
【０００１】
本発明は、活水器に関するものである。
【背景技術】
【０００２】
携帯用のポットや水筒などの容器に水と濾材を入れて、水を活性化することが一般的に行われている。水の活性化とは、水素結合により結合された水分子の集合体であるクラスターに物理・化学的な方法で処理を施して、水の状態を変化させることをいい、効果として殺菌力、洗浄機能、成長促進の向上等が挙げられる。また、このように水を活性化させるための容器を一般的に活水器と呼んでいる。従来の活水器として、通水孔を有する仕切り壁によって仕切られるとともに水が流通可能な収納部が内部に形成され、この収納部に水質改善濾材を収納したタイプが挙げられる（特許文献１参照）。
【先行技術文献】
【特許文献】
【０００３】
【特許文献１】登録実用新案第３１４５３５８号公報
【発明の概要】
【発明が解決しようとする課題】
【０００４】
濾材が水を活性化させるには、水流が必要で、水が静止状態では効果は得られない。例えば、特許文献１に記載される活水器では、収納容器への注水時以外、水流がほとんど発生しないため、特に水流が発生しにくい満水状態では、非活性状態の水が濾材に触れにくいことから、活性化効果をほとんど得られないという問題がある。
【０００５】
本発明は、上記の課題を解決するためになされたものであり、水の活性化効果を向上できる活水器を提供することを目的とする。
【課題を解決するための手段】
【０００６】
上記目的を達成する本発明に係る活水器は、水を活性化させる活水器であって、内部に水を収納可能な収納容器と、前記収納容器の内部に収納され、水が流通可能な穴が形成されて、前記収納容器と独立して移動可能である移動容器と、前記移動容器内に収納され、水流によって移動容器内を移動可能であり、前記穴を通り抜け不能な濾材と、を有し、前記移動容器内に、断面視で一方向にのみ延在し複数に区分けされた領域を形成する仕切り板を有し、前記領域毎に前記移動容器に前記穴を配置し、前記領域毎に、前記仕切り板に沿う方向に対向して前記穴が配置され、前記水が収納された前記収納容器内において、前記濾材が前記移動容器の底に移動することによって、前記仕切り板が鉛直方向に沿うように前記移動容器の姿勢が調整される活水器である。
【発明の効果】
【０００７】
上記のように構成した活水器であれば、収納容器内部に移動容器及び水を収納した状態で活水器を振ると、移動容器が収納容器と独立して移動して、移動容器外周に水流が発生し、移動容器に形成された穴を介して、移動容器内部にも水流が発生する。また、移動容器内部に収納された濾材の移動にも起因して、移動容器内部に水流が発生する。よって、濾材に非活性状態の水がより多く接触するために、水の活性化効果が向上する。さらに満水状態であっても、活水器を振ることで、移動容器内部の水流が発生し、濾材に非活性状態の水が接触するために、水の活性化効果が向上する。
【図面の簡単な説明】
【０００８】
【図１】本発明の実施形態に係る活水器の正面図である。
【図２】本発明の実施形態に係る活水器の断面図である。
【図３】移動容器の上面図である。
【図４】濾材の一例を示す断面図である。
【図５】移動容器の変形例を示す断面図である。
【発明を実施するための形態】
【０００９】
以下、図面を参照して本発明の実施形態を説明する。なお、図面の寸法比率は、説明の都合上、誇張されて実際の比率とは異なる場合がある。
【００１０】
本発明の実施形態に係る活水器１は、満水状態でも水を活性化でき、かつ活性化効果を向上できる活水器に関するものである。本活水器１は、図１及び図２に示すように、上端に開口部１９を有するとともに水を収納する収納容器１０と、開口部１９に着脱自在に被さる蓋部２０と、収納容器１０と独立して移動可能である移動容器３０と、を有する。
【００１１】
蓋部２０は、外蓋２１と内蓋２２とで構成されている。外蓋２１はカップ形状を有し、上記の開口部１９を覆うように配置される。外蓋２１の内周には、外蓋凹部２３が形成されており、収納容器１０の外周部に形成された収納容器凸部１１と嵌合し、固定可能となっている。また、内蓋２２はカップ形状を有し、外蓋２１に向かって開口するように配置される。内蓋２２の外周には、内蓋凹部２４が形成されており、収納容器１０の内周部に形成された収納容器凸部１２と嵌合し、固定可能となっている。また、内蓋２２は、水を注ぐための注水孔２５を有している。
【００１２】
また、内蓋２２の上部には、径方向の外側にはり出す内蓋鍔部２６が形成されており、収納容器上端部１３と干渉することにより、内蓋２２が収納容器１０の内部に入り込むことを防止する。また、同様の目的で収納容器１０には、径方向の内側にはり出す収納容器鍔部１４が形成されている。また、収納容器鍔部１４の上部にシール材１５が配置されており、内蓋２２の下面の縁部である内蓋下端部２７と圧接することで水漏れを防ぐことができるようになっている。
【００１３】
収納容器１０は、ステンレス等の金属製であり、図２に示すように、収納容器内壁１６と収納容器外壁１７とを有しており、収納容器内壁１６と、収納容器外壁１７との間に真空層１８を有する２重構造により形成されており、収納容器内壁１６の内部に活性化させるための水を収納する。
【００１４】
移動容器３０は、ステンレス等の金属製であり、移動容器３０内部には、図２及び図３に示すように、移動容器３０内部に複数に区分けされる領域Ａ１〜Ａ４（図では４つの領域に区分けしている。）を形成するためのステンレス等の金属製の仕切り板３１と、水を活性化させるための濾材３２とが収納されている。また、移動容器３０は区分けされた領域Ａ１〜Ａ４毎に、水が流通可能で、濾材３２が通り抜け不能な大きさの穴３３Ａ、３３Ｂを一対ずつ有している。そして穴３３Ａ、３３Ｂは仕切り板３１に沿う方向に対向して配置されている。
【００１５】
濾材３２は、例えば、特願平９−１６３１６６号公報に記載されたもの、この他同様のものが使用される。具体的には、図４に示すように、核部３４、基層部３５及び表層部３６からなり、焼成によって製造される。
【００１６】
核部３４は、ＳｉＯ２、Ａｌ２Ｏ３、ＴｉＯ２、ＺｒＯ２などのセラミックス粉を粒状化したものである。
【００１７】
基層部３５は、赤外線の波長領域にて最大の分子振動スペクトルを発し、該分子振動スペクトルを示す伸縮振動又は変角振動を持つ鉱物を、４００〜８５０℃程度で焼成して脱水の後に再結晶化し、２００〜４５０メッシュ程度に粉砕したものを主原料とし、ＳｒＯ、ＴｉＯ２、ＣｏＯ、ＦｅＯ、Ｆｅ２Ｏ３などを補助原料として、主成分８０〜９５重量％、補助成分５〜２０重量％の割合で混合したものである。
【００１８】
表層部３６は、基層部３５の表面をガラス状化したものである。
【００１９】
次に、本実施形態に係る活水器１の作用を説明する。
【００２０】
まず、収納容器１０から外蓋２１と内蓋２２とを共に取り外した状態で、内部に仕切り板３１と濾材３２とを収容した移動容器３０を収納容器１０に収納する。
【００２１】
収納容器１０内に、一例として水を移動容器３０が覆われる程度収納し、水がこぼれることを防止するために、内蓋２２と外蓋２１とを装着する。このとき、移動容器３０は図２のように、仕切り板３１の垂直方向に対して、外周に行くとともに上側に勾配のある底部を有するために、濾材３２は仕切り板３１の近傍に集まり、重心が決定するため、移動容器３０は仕切り板３１が鉛直方向となるように起き上がる状態となる。
【００２２】
そして、活水器１を上下方向に振ると、以下の現象が現れる。
【００２３】
（１）移動容器３０に形成されている水が流通可能な穴３３Ａ、３３Ｂは、上記のように起き上がった状態となるために、上下に位置する。そして、移動容器３０は収納容器１０と独立して移動する。この結果、図２に示すように、移動容器３０の外周に、移動容器３０の動きによる水流Ｓ１が発生する。この水流Ｓ１が、上記穴３３Ａ、３３Ｂを介して、移動容器３０の内部に水流Ｓ２を発生させる。更に移動容器３０の内部に着目すると、下記の要因によっても水流Ｓ２が発生する。すなわち、上記穴３３Ａ、３３Ｂは濾材３２が通り抜け不能なサイズであり、また仕切り板３１に沿う方向に対向して配置されており、移動容器３０は収納容器１０と独立して移動するために、濾材３２が移動容器３０内部を仕切り板３１に沿って動くことになる。この結果、移動容器３０内部に水流Ｓ２が発生する。
【００２４】
（２）移動容器３０は収納容器１０と独立して移動するために、移動容器３０が収納容器内壁１６に衝突する。この結果、収納容器１０と移動容器３０とが振動する。上記振動は、収納容器１０が保冷・保温効果に優れる２重構造であり、１重構造と比較して収納容器内壁１６を振動させやすくできるため、より大きくなる。
【００２５】
上記（１）の現象により、移動容器３０の内部に水流Ｓ２が発生し、濾材３２に非活性状態の水がより多く接触するために、水の活性化効果が向上する。
【００２６】
また、上記（２）の現象により、収納容器１０と移動容器３０とが振動し、水の状態変化が促進されるために、水の活性化効果が向上する。
【００２７】
上記（１）、（２）の現象は、水を収納容器１０に満水まで満たした場合においても、発生する。よって、従来、活性化効果を得ることが困難であった満水状態でも、水を効果的に活性化することができる。
【００２８】
また、活水器１を振る方向が上下方向からずれたとしても、水の抵抗が低くなるよう移動容器３０は傾くため、活水器１を振る方向と、仕切り板３２との方向が同一になり、活性化効果は上下方向に振る場合と同様に得られる。
【００２９】
以上のように、本実施形態によれば、活水器１は内部に水を収納可能な収納容器１０と、収納容器１０の内部に収納され、水が流通可能な穴３３Ａ、３３Ｂが形成されて、収納容器１０と独立して移動可能である移動容器３０と、移動容器３０の内部に収納され、水流によって移動容器３０の内部を移動可能であり、穴３３Ａ、３３Ｂを通り抜け不能な濾材３２と、を有する。よって、収納容器１０の内部に移動容器３０及び水を収納した状態で、活水器１を振ると、移動容器３０が収納容器１０と独立して移動して、移動容器３０の外周に水流Ｓ１が発生し、移動容器３０に形成された穴３３Ａ、３３Ｂを介して、移動容器３０の内部にも水流Ｓ２が発生する。また、移動容器３０の内部に収納された濾材３２の移動にも起因して、移動容器３０の内部に水流Ｓ２が発生する。よって、濾材３２に非活性状態の水がより多く接触するために、水の活性化効果が向上する。さらに満水状態であっても、活水器１を振ることで、移動容器３０の内部の水流Ｓ２が発生し、濾材３２に非活性状態の水が接触するために、水の活性化効果が向上する。
【００３０】
移動容器３０の内部に、複数に区分けされた領域Ａ１〜Ａ４を形成する仕切り板３１を有し、領域Ａ１〜Ａ４毎に移動容器３０に穴３３Ａ、３３Ｂが配置されれば、移動容器３０の内部の水流Ｓ２が、領域Ａ１〜Ａ４毎に発生し、仕切り板３１をガイドとして濾材３２が移動するために、濾材３２同士が干渉せずに移動しやすくなり、活性化効果が向上する。
【００３１】
領域Ａ１〜Ａ４毎に、仕切り板３１に沿う方向に対向して穴３３Ａ、３３Ｂが配置されれば、移動容器３０の内部の水流Ｓ２の量が多くなり、かつ濾材３２に接触する水の量も多くなるために、活性化効果が向上する。
【００３２】
収納容器１０は、金属製であれば、移動容器３０が収納容器内壁１６に衝突した際に、収納容器１０と移動容器３０が振動しやすくなるために、活性化効果が向上する。
【００３３】
収納容器１０は、２重構造であれば、１重構造と比較して収納容器内壁１６を振動させやすくでき、水の状態変化が促進されるために、活性化効果が向上する。
（改変例）
本実施形態では、金属製の収納容器１０を示したが、これに限定されず、例えばガラス製、プラスチック製等でもよい。
【００３４】
本実施形態では、蓋部２０は外蓋２１と内蓋２２とを有するが、１つの蓋で着脱されるものでもよい。また、蓋部２０と収納容器１０との固定方法は嵌め合いに限らず、互いにねじ溝を有してねじ止めして固定されてもよい。
【００３５】
本実施形態では、移動容器３０の形状として、球形状を示したが、この形状に限られることなく、図５に示す変形例である移動容器４０のように、相対的に１方向に長い形状を有してもよい。相対的に１方向に長い形状とは、すなわち、直交する２方向の各々の長さよりも該２方向の両方と直交する方向へ長く形成される形状をいう。この際、穴４３Ａ、４３Ｂは仕切り板４１に沿う方向に対向して配置される。濾材３２は仕切り板４１の近傍に集まり、重心が決定するため、移動容器４０は仕切り板４１が鉛直方向となるように起き上がる状態となる。よって活水器１を上下方向に振ると、一対の穴４３Ａ、４３Ｂが上下に位置し、水が流入しやすくなり、活性化効果が向上する。また、活水器１を振る方向が上下方向からずれたとしても、水の抵抗が低くなるよう移動容器４０は傾くため、活水器１を振る方向と、仕切り板４１との方向が同一になり、活性化効果は上下方向に振る場合と同様に得られる。
【００３６】
本実施形態では、金属製の移動容器３０と仕切り板３１を示したが、これに限定されず、例えばガラス製、プラスチック製等でもよい。
【００３７】
本実施形態では、収納容器１０の構造として２重構造を示したが、１重構造でもよい。
【００３８】
本実施形態では、移動容器３０を１つだけ使用する形態を示したが、移動容器３０を複数投入してもよい。
【００３９】
本実施形態では、仕切り板３１によって区分けされた領域Ａ１〜Ａ４毎に濾材３２を１つ収容する形態を示したが、濾材３２を複数収容してもよい。
【００４０】
本実施形態では、移動容器３０の内部に濾材３２を収容する形態を示したが、これに限定されず、例えば炭、カルシウム錠剤及びトルマリン等の鉱物でもよい。さらに濾材３２、炭、カルシウム錠剤及びトルマリン等の鉱物の少なくとも２種類以上を複合的に収容してもよい。
【符号の説明】
【００４１】
１    活水器、
１０    収納容器、
３０、４０    移動容器、
３１、４１    仕切り板、
３２    濾材、
３３Ａ、３３Ｂ、４３Ａ、４３Ｂ    穴、
Ａ１〜Ａ４    領域。
【図１】
0005878705.tif 000002
【図２】
0005878705.tif 000003
【図３】
0005878705.tif 000004
【図４】
0005878705.tif 000005
【図５】
0005878705.tif 000006